(57)【要約】    【課題】  収納ケースを回動させる構成を採用しても収納ケースに大きな開口部を設けずともハーネスの配回が容易で、ハーネスの破損等も防止できる基板支持装置及び画像形成装置を提供する。    【解決手段】  収納ケース２の回動支軸２３が設けられている側の側板の回動支軸２３間に凹状の切り込み部２６を形成し、収納ケース２外部からハーネス２５が切り込み部２６を通って制御用電装基板２２に接続されるとともに、切り込み部２６を形成した側板２４に、切り込み部２４を跨る補強ブラケット３０が着脱可能に取り付けられる。【選択図】    図２
2006242971.tif 000002
【特許請求の範囲】
【請求項１】
装置本体に回動可能に装着される収納ケース内に取り付けられた電装基板を支持する基板支持装置において、
前記収納ケースの回動支軸が設けられている側の側板の回動支軸間に凹状の切り込み部を形成し、前記収納ケース外部からハーネス束が前記切り込み部を通って電装基板に接続されるとともに、前記切り込み部を形成した側板に、該切り込み部を跨る補強ブラケットが着脱可能に取り付けられることを特徴とする基板支持装置。
【請求項２】
請求項１に記載の基板支持装置において、前記収納ケースの前記回動支軸が鉛直方向に間隔を持って並べられた２つの回転軸で構成されることを特徴とする基板支持装置。
【請求項３】
請求項１に記載の基板支持装置において、前記補強ブラケットが前記切り込み部を跨る部分のハーネス束対向辺に丸みを持たせた加工がなされていることを特徴とする基板支持装置。
【請求項４】
請求項２に記載の基板支持装置において、前記回転軸が前記収納ケースに設けられているとともに、装置本体に該回転軸が係合される受け部が設けられ、前記補強ブラケットに前記受け部に係合された前記回転軸の抜け止め部が形成されていることを特徴とする基板支持装置。
【請求項５】
請求項１に記載の基板支持装置において、前記補強ブラケットに前記収納ケースの覆うカバー部材が取り付けられることを特徴とする基板支持装置。
【請求項６】
請求項１に記載の基板支持装置において、前記ハーネス束が装置本体内の上、中、下の３ヶ所に設けた係止部材に係止されてから前記切り込み部を通り、上方、中央、下方に分けられて前記電装基板に接続されることを特徴とする基板支持装置。
【請求項７】
請求項１〜６の何れか一項に記載の基板支持装置を用いることを特徴とする画像形成装置。
【請求項８】
前記収納ケースを回動すると、装置本体の駆動装置が露呈することを特徴とする画像形成装置。
【発明の詳細な説明】
【技術分野】
【０００１】
本発明は、制御用電装基板を支持する基板支持装置及び該基板支持装置を用いるプリンタ、複写機、ファクシミリもしくはこれらの少なくとも２つの機能を有する複合機等の画像形成装置に関するものである。
【背景技術】
【０００２】
上記画像形成装置等の電子機器においては、制御用電装基板は装置本体の側面か裏面に取り付けられることが多い。近年では制御用電装基板を側面に取り付けると、装置の幅が大きくなるため、裏面に取り付けるものが増えている。ところで、制御用電装基板を裏面に取り付けた場合、裏面にはレイアウト上、モータやクラッチ等のメカ部品があるため、制御用電装基板はそれらメカ部品の後ろ側に付けることになる。かかる構成では、メンテナンス等のとき、メカ部品にアクセスできるように、制御用電装基板を移動できるように取り付けなければならない。
【０００３】
【特許文献１】特開２００２−３３７４２１号公報
【特許文献２】特開２００４−２４９６３３号公報
【０００４】
そこで、特許文献１や２に記載の画像形成装置では、制御用電装基板をまとめて１つの収納ケースである収納ケース内に収納し、該収納ケースを装置本体に回動可能に装着している。そして、メカ部品のメンテナンス時はその収納ケースを回動してメカ部品が現出するようにしている。この種の画像形成装置では、装置本体のモータ等と接続するためのハーネスを通す必要があるが、近年の画像形成装置等ではモータ、センサ等が大量に使用されているため、それに伴ってハーネスの量も相当な数量になる。現実的には、それらの大量のハーネスは１箇所にからまとめて収納ケースに進入させる形を取っているが、このため下記のような不具合が発生していた。
【０００５】
第１に、収納ケースに大きな開口部を設けるため構造的強度が低下する。第２に、大きな開口部より収納ケース内部で発生した電波ノイズを外部に放射し易くなる。第３に、収納ケースを回動させるために本体と収納ケース内の基板をつなぐハーネスの回動時の余長を吸収する必要があるが、予めハーネス長に余裕を持たせるか、別部品を用いてガイドさせる等によりコストが嵩み、レイアウトスペースも大きくなる。
【発明の開示】
【発明が解決しようとする課題】
【０００６】
本発明は、上記した不具合を解消し、収納ケースを回動させる構成を採用しても収納ケースに大きな開口部を設けずともハーネスの配回が容易で、ハーネスの破損等も防止できる基板支持装置及び画像形成装置を提供することを目的とする。
【課題を解決するための手段】
【０００７】
上記目的を達成するために、本発明は、装置本体に回動可能に装着される収納ケース内に取り付けられた電装基板を支持する基板支持装置において、前記収納ケースの回動支軸が設けられている側の側板の回動支軸間に凹状の切り込み部を形成し、前記収納ケース外部からハーネス束が前記切り込み部を通って電装基板に接続されるとともに、前記切り込み部を形成した側板に、該切り込み部を跨る補強ブラケットが着脱可能に取り付けられることを特徴としている。
【０００８】
なお、本発明は、前記収納ケースの前記回動支軸が鉛直方向に間隔を持って並べられた２つの回転軸で構成されると、効果的である。
さらに、本発明は、前記補強ブラケットが前記切り込み部を跨る部分のハーネス束対向辺に丸みを持たせた加工がなされていると、効果的である。
【０００９】
さらにまた、本発明は、前記回転軸が前記収納ケースに設けられているとともに、装置本体に該回転軸が係合される受け部が設けられ、前記補強ブラケットに前記受け部に係合された前記回転軸の抜け止め部が形成されていると、効果的である。
【００１０】
さらにまた、本発明は、前記補強ブラケットに前記収納ケースの覆うカバー部材が取り付けられると、効果的である。
さらにまた、本発明は、前記ハーネス束が装置本体内の上、中、下の３ヶ所に設けた係止部材に係止されてから前記切り込み部を通り、上方、中央、下方に分けられて前記制御用電装基板に接続されると、効果的である。
【００１１】
また、上記目的を達成するために、本発明は、請求項１〜６の何れか一項に記載の基板支持装置を用いることを特徴としている。
【００１２】
なお、本発明は、前記収納ケースを回動すると、装置本体の駆動装置が露呈すると、効果的である。
【発明の効果】
【００１３】
本発明は、収納ケースを回動することで、その裏に隠れる駆動系等へのアクセスを容易に行うことができ、しかも収納ケースの回動によるハーネスの破損等を抑えられる。さらに、回動する収納ケースへのハーネスの配線作業が簡単になり、また、ケース強度も十分に確保することができるものである。
【００１４】
請求項１の構成によれば、ハーネスの配線作業が簡単になり、ケース強度も十分に確保することができる。
請求項２の構成によれば、回動支軸の近傍にハーネスを取り込む切り込み部を形成することが可能になる。
【００１５】
請求項３の構成によれば、補強ブラケットが接触によるハーネスの破損や断線を防止することができる。
請求項４の構成によれば、補強ブラケットによって収納ケースの装置本体からの脱落等を確実に防止することができる。
【００１６】
請求項５の構成によれば、収納ケースのカバー部材の取り付け取り外しが容易に行うことができる。
請求項６の構成によれば、ハーネスが整理され、ハーネス余長を短くすることができる。
【００１７】
請求項７、８の構成によれば、駆動装置のメンテナンスが容易で、しかも上記効果が得られる画像形成装置を提供に用いることができる。
【発明を実施するための最良の形態】
【００１８】
以下、本発明の実施の形態を添付図面にしたがって説明する。
図１は、画像形成装置を裏面側から見た斜視図である。ここに示した画像形成装置は、装置本体１の裏面に制御用電装基板が収納された収納ケース２が設けられ、この収納ケース２は基板支持装置を介して装置本体１に回動可能に支持されており、図示するように収納ケース２を回動すると、駆動装置３が露呈するように構成されている。
【００１９】
図２は、収納ケースの回動支軸側の分解斜視図である。図２において、収納ケース２は、ケース本体２０、補強ブラケット３０及びカバー部材２１とを有している。ケース本体２０には、図３に示すように、制御用電装基板２２が収納され、その一側面には収納ケース２の回動支軸２３が固定されている。ここに示した回動支軸２３はケース本体２０の左辺側板に鉛直方向に軸線が一致する上下２個の回動軸で構成されている。そして、左辺側板２４において上下２個の回動支軸２３の間には図３に示すように、制御用電装基板に接続される多数のハーネス２５が通る切り込み部２６が形成されている。回動支軸２３についてさらに説明すると、該回動支軸２３は側板２４の手前側の縁部にケース本体２０の外側に飛び出して設けられており、本例の回動支軸２３は長方形の板金を筒状に丸めて作られている。そして、この回動支軸２３は後述する装置本体１の支持部に形成された丸穴に嵌合されることにより、収納ケース２が装置本体１に対して回動することができる。なお、回動支軸２３の下部には回動支軸２３が上から丸穴に嵌合できるように適宜長さの切り離し部２３ａが形成されている。
【００２０】
このように、本発明では回動する収納ケース２内に収納された制御用電装基板２２に接続される多数のハーネス２５が孔を潜らせるのではなく、上部が開放された切り込み部２６から通すので、その配回が極めて容易に行うことができる。ところが、このようにハーネス２５の配線作業性を良くすると、切り込み部２６を設けている側板２４の強度が弱まり、例えば回動時にある程度の力が加わると変形してしまうおそれがある。
【００２１】
そこで、本発明では側板２４の強度を高めるべく、側板２４の上縁に沿い、切り込み部２６に跨ってケース本体２０に固定される補強ブラケット３０が設けられている。補強ブラケット３０は、上下方向に延びた細長形状の板材からなり、その上下方向の長さはケース本体２０の側板２４に同等の長さを有している。なお、本実施形態の補強ブラケット３０は金属製の板材から作られているが、補強ブラケット３０は樹脂で作ったものでもよい。また、補強ブラケット３０の幅はケース本体２０の側板２４の上縁に形成した折り曲げ部２４ａを覆う補強帯体３１の幅に、カバー部材２１を取り付ける取り付け代３２を加えた幅を有する。補強帯体３１には、上端及び下端に側板２４の折り曲げ部２４ａに形成した切り溝２７に差し込まれる差し込み片３３が設けられ、ケース本体２０に補強ブラケット３０を取り付ける際、差し込み片３３を切り溝２７に差し込むことにより補強ブラケット３０の取り付け位置が決まる。さらに、補強ブラケット３０の補強帯体３１には図４に示すように、装置本体に装着した収納ケース２の抜け防止部３４や収納ケース２に固定するネジ孔３５が設けられ、そしてさらに、補強ブラケット３０にはカバー部材２１がネジ止めによって固定される。
【００２２】
このように構成される収納ケース２の装置本体１への組み付けは、収納ケース２の回動支軸２３を図４（ａ）に示すように、装置本体１の支持板４の孔４ａに嵌合させ、これにて収納ケース２が正規の位置に仮止めされる。この状態で、制御用電装基板２２への配線等を行い、このとき装置本体１と制御用電装基板２２のハーネス２５はすべて上記切り込み部２６を通して行う。配線を終えると、補強ブラケット３０をケース本体２０に固定するため、まず補強ブラケット３０の差し込み片３３を切り溝２７に係合させることで補強ブラケット３０の取り付け位置が決まる。すなわち、ネジ孔３５が収納ケース２のネジ孔と一致し、抜け防止部３４が図４（ｂ）に示すように、回動支軸２３と支持板４を挟むことで、回動支軸２３が支持板４の孔４ａから抜けることを防止する。そして、ネジ（図示せず）で補強ブラケット３０を収納ケース２に固定し、カバー部材２１をケース本体２０と補強ブラケット３０とに跨ってネジ止めすれば収納ケース２の装置本体１への組み付けが完了する。
【００２３】
このように構成される収納ケース２は、駆動系のメンテナンス等を行う場合、回転支軸２３の軸線の周りに回動することで、装置本体１内の駆動系が露呈し、該駆動系にアクセスすることができる。そして、回動する収納ケース２内の制御用電装基板に接続される多数のハーネスは、回動支軸２３をある側板２４に設けた切り込み部２６を通すことでハーネス２５に無理な力がかかりにくく、その配線作業性も良好である。さらに、補強ブラケット３０を設けることで、側板２４部分の強度を確保することができる。
【００２４】
また、収納ケース２は回動支軸２３がその奥行き方向手前側にあるので９０°も回転すれば、装置全体を上から見たときの機械の投影部分から収納ケース２が出るので、メンテナンススペースを十分に確保することができる。逆に、収納ケース２の回動支軸２３がその奥行き方向奥側に設けると、上記投影部分から全ての収納ケース２を出すにはケースと回転支点の距離をケース幅程度まで離す必要があり強度、ハーネス這い回し上の不利になる。
【００２５】
ところで、補強ブラケット３０は板金から作られ、収納ケース２を回動したとき、補強ブラケット３０のエッジ部分が切り込み部２６を通るハーネス２５に接触してハーネスが断線する等のおそれがある。そこで、図５に示す補強ブラケット３０の横断面図から明らかなように、ハーネス２５に対向するエッジ部３６が丸みを持つように加工され、補強ブラケット３０が金属製板材で作られている場合は折り曲げ加工することによって接触する縁３６に丸みを持たせることができる。
【００２６】
また、近年の画像形成装置は、モータ、センサ等が大量に使用されるため、制御用電装基板２２に接続されるハーネス２５の本数もとてつもない数になる。そこで、本実施形態では、図３及び図６に示すように、これらハーネス２５は上、中、下の３ヶ所から収納ケース２内部に入って制御用電装基板２２に接続されている。この３つのハーネスルートは、装置本体１に係止するハーネスクランプ５によってそれぞれ纏められてから収納ケース２の内部に入るように構成され、ハーネスクランプ５は回転支軸２３付近にあり収納ケース２が回動してもクランプ部分から収納ケース２の切り込み部２６までの距離の変化が少ない。ちなみに本実施形態では回動範囲は約１３５°である。収納ケース２内部に入るハーネス２５が全てここに集約されているため、駆動装置３のメンテナンスなどで収納ケース２を回動させても全く収納ケース２内部のコネクタを外したりする必要がないので無駄な作業がない。また、収納ケース２を回動させた状態で機械動作させることが可能となり、収納ケース２の裏側に配置したモータ動作の確認をしたり、メンテナンス作業中にメカ動作させたりすることが可能となる。なお、ハーネスルートは３ルートに限らず、ハーネス量が少ない場合には２ルートもしくは１ルートに減らすことができる。
【図面の簡単な説明】
【００２７】
【図１】本発明に係る画像形成装置の裏面側を示す概略斜視図である。
【図２】収納ケースの回動側の分解斜視図である。
【図３】収納ケースの内部を示す説明図である。
【図４】（ａ），（ｂ）は収納ケースの回動支軸の組み付け手順を示す説明図である。
【図５】補強ブラケットの横断面図である。
【図６】ハーネスの取り込み状態の示す説明図である。
【符号の説明】
【００２８】
１    装置本体
２    収納ケース
３    駆動装置
２０    ケース本体
２１    カバー部材
２２    制御用電装基板
２３    回動支軸
２４    側板
２５    ハーネス
２６    切り込み部
３０    補強ブラケット
【図１】
2006242971.tif 000003
【図２】
2006242971.tif 000004
【図３】
2006242971.tif 000005
【図４】
2006242971.tif 000006
【図５】
2006242971.tif 000007
【図６】
2006242971.tif 000008